【手続補正書】
【提出日】平成18年9月1日(2006.9.1)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  シートに後処理を行う複数の機能ユニットを有する画像形成装置であって、
前記複数の機能ユニットの中の任意の機能ユニットを手動のスイッチ操作により無効に設定する機能無効設定手段と、
前記スイッチ操作により無効に設定された機能ユニットを判別する無効機能ユニット判別手段と、
前記無効機能ユニット判別手段により無効に設定されていると判別された機能ユニットがある場合、故障であることの警告表示を行わせる表示制御手段と、
を有することを特徴とする画像形成装置。
【請求項２】 前記表示制御手段は、前記画像形成装置の待機時の画面では、前記複数の機能ユニットの何れかに故障が発生していることを示す第１の警告表示を行うことを特徴とする請求項１記載の画像形成装置。
【請求項３】  前記表示制御手段は、前記後処理の機能を選択する画面では、前記複数の機能ユニットのどの機能ユニットが故障しているかを示す第２の警告表示を行うことを特徴とする請求項２記載の画像形成装置。
【請求項４】  前記機能無効設定手段により無効に設定されていても、前記複数の機能ユニットが物理的に接続されていることを検出する接続確認手段を有し、前記表示制御手段は、前記第２の警告表示で、物理的に接続されている機能ユニットと前記機能無効設定手段で機能が無効に設定された機能ユニットとを識別可能に表示することを特徴とする請求項３記載の画像形成装置。
【請求項５】 前記表示制御手段は、前記第２の警告表示を行っている状態で、無効に設定されている機能ユニットの選択が行われた場合は、選択された機能ユニットが故障していることを示す第３の警告表示を行うことを特徴とする請求項３又は４記載の画像形成装置。
【請求項６】  前記無効機能ユニット判別手段で無効に設定されていると判別された機能ユニットがある場合に、機能禁止情報の通報を行う通信制御手段を有することを特徴とする請求項１記載の画像形成装置。
【請求項７】  前記通信制御手段による通報が終了した場合に、前記表示制御手段は、通報済みの表示を行うことを特徴とする請求項６記載の画像形成装置。
【請求項８】  前記通信制御手段が前記通報に対する返信を受信した場合、前記表示制御手段は、サービスマンの来訪情報を表示することを特徴とする請求項６又は７記載の画像形成装置。
【手続補正３】
【補正対象書類名】明細書
【補正対象項目名】０００１
【補正方法】変更
【補正の内容】
【０００１】
【発明の属する技術分野】
本発明は、画像形成装置に係り、特に、例えば、複写機やＬＢＰ（レーザービームプリンタ）等によるシート面への画像形成において画像形成後のシートの仕分けや綴じ等の処理を行う画像形成装置に関するものである。
【手続補正４】
【補正対象書類名】明細書
【補正対象項目名】０００５
【補正方法】変更
【補正の内容】
【０００５】
本発明は、上記の点に鑑みなされたものであり、ある処理機能部分の機能停止が全体に影響を及ぼし全機能が停止してしまうような不具合を防止し、必要最小限の機能停止にとどめることで、システム全体のダウンを防止し、装置の機能を十分に発揮可能とし、特に機能切り離しが行われた場合の操作性を改善可能とした画像形成装置を提供することを目的とする。
【手続補正５】
【補正対象書類名】明細書
【補正対象項目名】０００６
【補正方法】変更
【補正の内容】
【０００６】
【課題を解決するための手段】
上記目的を達成するために、請求項１記載の本発明は、シートに後処理を行う複数の機能ユニットを有する画像形成装置であって、前記複数の機能ユニットの中の任意の機能ユニットを手動のスイッチ操作により無効に設定する機能無効設定手段と、前記スイッチ操作により無効に設定された機能ユニットを判別する無効機能ユニット判別手段と、前記無効機能ユニット判別手段により無効に設定されていると判別された機能ユニットがある場合、故障であることの警告表示を行わせる表示制御手段と、を有することを特徴とする。
【手続補正６】
【補正対象書類名】明細書
【補正対象項目名】０００７
【補正方法】変更
【補正の内容】
【０００７】
上記目的を達成するために、請求項２記載の本発明は、前記表示制御手段は、前記画像形成装置の待機時の画面では、前記複数の機能ユニットの何れかに故障が発生していることを示す第１の警告表示を行うことを特徴とする。
【手続補正７】
【補正対象書類名】明細書
【補正対象項目名】０００８
【補正方法】変更
【補正の内容】
【０００８】
上記目的を達成するために、請求項３記載の本発明は、前記表示制御手段は、前記後処理の機能を選択する画面では、前記複数の機能ユニットのどの機能ユニットが故障しているかを示す第２の警告表示を行うことを特徴とする。
【手続補正８】
【補正対象書類名】明細書
【補正対象項目名】０００９
【補正方法】変更
【補正の内容】
【０００９】
上記目的を達成するために、請求項４記載の本発明は、前記機能無効設定手段により無効に設定されていても、前記複数の機能ユニットが物理的に接続されていることを検出する接続確認手段を有し、前記表示制御手段は、前記第２の警告表示で、物理的に接続されている機能ユニットと前記機能無効設定手段で機能が無効に設定された機能ユニットとを識別可能に表示することを特徴とする。
【手続補正９】
【補正対象書類名】明細書
【補正対象項目名】００１０
【補正方法】変更
【補正の内容】
【００１０】
上記目的を達成するために、請求項５記載の本発明は、前記表示制御手段は、前記第２の警告表示を行っている状態で、無効に設定されている機能ユニットの選択が行われた場合は、選択された機能ユニットが故障していることを示す第３の警告表示を行うことを特徴とする。
【手続補正１０】
【補正対象書類名】明細書
【補正対象項目名】００１１
【補正方法】変更
【補正の内容】
【００１１】
上記目的を達成するために、請求項６記載の本発明は、前記無効機能ユニット判別手段で無効に設定されていると判別された機能ユニットがある場合に、機能禁止情報の通報を行う通信制御手段を有することを特徴とする。
【手続補正１１】
【補正対象書類名】明細書
【補正対象項目名】００１２
【補正方法】変更
【補正の内容】
【００１２】
上記目的を達成するために、請求項７記載の本発明は、前記通信制御手段による通報が終了した場合に、前記表示制御手段は、通報済みの表示を行うことを特徴とする。
【手続補正１２】
【補正対象書類名】明細書
【補正対象項目名】００１３
【補正方法】変更
【補正の内容】
【００１３】
上記目的を達成するために、請求項８記載の本発明は、前記通信制御手段が前記通報に対する返信を受信した場合、前記表示制御手段は、サービスマンの来訪情報を表示することを特徴とする。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００８７
【補正方法】削除
【補正の内容】
【手続補正４４】
【補正対象書類名】明細書
【補正対象項目名】０１１２
【補正方法】変更
【補正の内容】
【０１１２】
そして、画像形成装置の各付加機能に関して、それの故障フラグをチェックし（ステップＳ１０５０、ステップＳ１０５１、ステップＳ１０５２、ステップＳ１０５３、ステップＳ１０５４）、何れかの故障フラグがセットされている場合は、図１１に示す待機時の表示を切り替え図１２に示す警告表示Ｂを操作部１の表示画面に出力する（ステップＳ１０５５）。このようにすることで、機能選択スイッチを操作した人（付加機能の故障を知っている人）以外の他の操作者に対しても、付加機能の何れかに故障が発生し機能に関する項目に制限がある旨を認識させることが可能になり、余計な誤操作を未然に防ぎ操作性の向上を実現することができる。
【手続補正４５】
【補正対象書類名】明細書
【補正対象項目名】０１１３
【補正方法】変更
【補正の内容】
【０１１３】
次に、本発明の第１の実施の形態に係る画像形成装置の切り離し機能表示処理に関して図２２に基づき説明を行う。先ず、図１２の状態でソータキーが押下されたか否かを判定し（ステップＳ２００１）、ソータキーが押下された場合は、そのときパンチャユニット２０４０が故障しているかを判断し（ステップＳ２００２）、故障している場合は、パンチャユニット２０４０が故障していることをユーザに知らせるために警告表示Ｃ−１を操作部１に表示する（ステップＳ２００３）。本実施形態の場合は、この警告表示Ｃ−ｘは機能を選択するためのキーを“網掛け”の状態に表示し、この機能の選択、実行が不可能であることを示すものである。
【手続補正４６】
【補正対象書類名】明細書
【補正対象項目名】０１６７
【補正方法】変更
【補正の内容】
【０１６７】
【発明の効果】
以上説明したように、本発明によれば、不具合ユニットのみの機能を切り離すことで、システム全体のダウンを防止することが可能となる。
【手続補正４７】
【補正対象書類名】明細書
【補正対象項目名】０１６８
【補正方法】削除
【補正の内容】
【手続補正４８】
【補正対象書類名】明細書
【補正対象項目名】０１６９
【補正方法】削除
【補正の内容】
【手続補正４９】
【補正対象書類名】明細書
【補正対象項目名】０１７０
【補正方法】削除
【補正の内容】